(57)【要約】      （修正有）【課題】バックライトモジュールの駆動方法の提供。【解決手段】本発明ではバックライトモジュールを用い、それにより飽和輝度の調光サイクルの中で、変調により非飽和輝度サイクルを生み出すものである。そして当該調光サイクルが後端変圧器に対しデューティサイクルの振動振幅シーケンスを設定し、それに基づいて非飽和輝度サイクルでの変圧器の変換運動エネルギーが形成できる。この運動エネルギーにより当該バックライトモジュールが飽和輝度で発生する寄生容量による影響が解消できるのである。【選択図】図１
2007173155.tif 000002
【特許請求の範囲】
【請求項１】
バックライトモジュールの駆動方法であり、バックライトの飽和輝度の設定、飽和輝度の調光サイクルの決定、飽和輝度のデューティサイクルの決定を含み、即ち、
飽和輝度の調光サイクルを決定し、並びに当該調光サイクルに於いて変調により非飽和輝度サイクルを生み出すことであり、
飽和輝度のデューティサイクルを決定し、並びに当該調光サイクルにより後端変圧器に対しデューティサイクルの振動振幅のシーケンスを設定し、それに基づいて運動エネルギーの出力により当該バックライトモジュールを駆動させ、かつ、変圧器は当該非飽和輝度サイクルに於いて変換運動エネルギーを形成し、この変換運動エネルギーにより当該バックライトモジュールの飽和輝度での寄生容量による影響が解消できるものであることを特徴とするバックライトモジュールの駆動方法。
【請求項２】
請求項１記載のバックライトモジュールの駆動方法において、当該変圧器による変換運動エネルギーの中に、過飽和輝度の振動振幅による運動エネルギー及び非飽和輝度の振動振幅による運動エネルギーが含まれることを特徴とするバックライトモジュールの駆動方法。
【請求項３】
請求項２記載のバックライトモジュールの駆動方法において、当該非飽和輝度の振動振幅による運動エネルギーと当該過飽和輝度の振動振幅による運動エネルギーの電位差が非飽和輝度サイクルの幅により決定されることを特徴とするバックライトモジュールの駆動方法。
【請求項４】
請求項２記載のバックライトモジュールの駆動方法において、当該非飽和輝度の振動振幅による運動エネルギーがゼロ電位でないことを特徴とするバックライトモジュールの駆動方法。
【請求項５】
請求項１記載のバックライトモジュールの駆動方法において、当該変圧器の変換運動エネルギーの中に、過飽和輝度の振動振幅による運動エネルギー、非飽和輝度の振動振幅による運動エネルギー、及び過飽和輝度の振動振幅による運動エネルギーが含まれることを特徴とするバックライトモジュールの駆動方法。
【請求項６】
請求項５記載のバックライトモジュールの駆動方法において、当該非飽和輝度の振動振幅による運動エネルギーと当該過飽和輝度の振動振幅による運動エネルギーの電位差が非飽和輝度サイクルの幅により決定されることを特徴とするバックライトモジュールの駆動方法。
【請求項７】
請求項５記載のバックライトモジュールの駆動方法において、当該非飽和輝度の振動振幅による運動エネルギーがゼロ電位でないことを特徴とするバックライトモジュールの駆動方法。
【発明の詳細な説明】
【技術分野】
【０００１】
本発明は一種のバックライトモジュールの駆動方法に関するもので、特に一種のバックライトモジュールが飽和輝度のもとで、非飽和輝度サイクルを変調させて変圧器の変換動力エネルギーを生み出し、それにより寄生容量による影響が解消できる駆動方法である。
【背景技術】
【０００２】
ディスプレーの映像表示技術の中で、バックライトモジュールは相当重要な役割を負っている。均等でむらがない光度によりディスプレーに映される色彩がさらに鮮明なものとなる。しかし、バックライトモジュールは高電圧駆動モードを用いているため、バックライトモジュールの電流にむらがあり安定していないと、或いは長時間にわたり飽和輝度の状態に置かれると、浮遊・寄生容量の反応が発生し、全体の輝度が影響を受けるばかりでなく、ディスプレーの画質もこの波動を受け、さらには見る人の視覚にも間接的に影響を及ぼすのである。
【０００３】
寄生容量の問題を解決するため、特許文献１では一種のランプ光源が提案された。このランプ光源は、寄生容量によりディスプレーとバックライトモジュールの間に発生した漏洩電流、漏洩電荷を効果的に中和するものである。これにより漏電電流の不均衡現象が解消され、さらに一致性が保たれ、画面は広範囲での輝度バランスが得られるのである。当該特許は直接的な連結或いは接続部品を通して、ディスプレーモジュールにある外部金属マスク構造、或いは中間層のプラスチック材料類という場所に、外部金属マスク構造中間層のプラスチック材料類にシグナルを入力でき、ディスプレーパネルに残された電荷も排除、中和或いは均衡になるのである。
【０００４】
しかし、この方法は対症療法に留まり、浮遊・寄生容量の反応発生時には、事実上ディスプレーはこれによる干渉の影響を受ける。また、正常に表示する時、ディスプレーは常に飽和輝度の状態に置かれ、寄生容量がほとんど常に発生する状態であるため、このように該特許では即時に中和或いは消去することができず、画質に影響を及ぼす恐れが生じるのである。
【０００５】
【特許文献１】アメリ力特許公告６７９８１５１号明細書
【発明の開示】
【発明が解決しようとする課題】
【０００６】
本発明の主要な目的は、上述した欠陥を解決し、欠陥の存在を取り除くことである。本発明ではバックライトモジュールを用い、それにより飽和輝度の調光サイクルの中で、変調により非飽和輝度サイクルを生み出すものである。そして当該調光サイクルが後端変圧器に対しデューティサイクルの振動振幅シーケンスを設定し、それに基づいて非飽和輝度サイクルでの変圧器の変換運動エネルギーが形成できる。この運動エネルギーにより当該バックライトモジュールが飽和輝度で発生する寄生容量による影響が解消できるのである。
【課題を解決するための手段】
【０００７】
請求項１の発明は、バックライトモジュールの駆動方法であり、バックライトの飽和輝度の設定、飽和輝度の調光サイクルの決定、飽和輝度のデューティサイクルの決定を含み、即ち、
飽和輝度の調光サイクルを決定し、並びに当該調光サイクルに於いて変調により非飽和輝度サイクルを生み出すことであり、
飽和輝度のデューティサイクルを決定し、並びに当該調光サイクルにより後端変圧器に対しデューティサイクルの振動振幅のシーケンスを設定し、それに基づいて運動エネルギーの出力により当該バックライトモジュールを駆動させ、かつ、変圧器は当該非飽和輝度サイクルに於いて変換運動エネルギーを形成し、この変換運動エネルギーにより当該バックライトモジュールの飽和輝度での寄生容量による影響が解消できるものであることを特徴とするバックライトモジュールの駆動方法としている。
請求項２の発明は、請求項１記載のバックライトモジュールの駆動方法において、当該変圧器による変換運動エネルギーの中に、過飽和輝度の振動振幅による運動エネルギー及び非飽和輝度の振動振幅による運動エネルギーが含まれることを特徴とするバックライトモジュールの駆動方法としている。
請求項３の発明は、請求項２記載のバックライトモジュールの駆動方法において、当該非飽和輝度の振動振幅による運動エネルギーと当該過飽和輝度の振動振幅による運動エネルギーの電位差が非飽和輝度サイクルの幅により決定されることを特徴とするバックライトモジュールの駆動方法としている。
請求項４の発明は、請求項２記載のバックライトモジュールの駆動方法において、当該非飽和輝度の振動振幅による運動エネルギーがゼロ電位でないことを特徴とするバックライトモジュールの駆動方法としている。
請求項５の発明は、請求項１記載のバックライトモジュールの駆動方法において、当該変圧器の変換運動エネルギーの中に、過飽和輝度の振動振幅による運動エネルギー、非飽和輝度の振動振幅による運動エネルギー、及び過飽和輝度の振動振幅による運動エネルギーが含まれることを特徴とするバックライトモジュールの駆動方法としている。
請求項６の発明は、請求項５記載のバックライトモジュールの駆動方法において、当該非飽和輝度の振動振幅による運動エネルギーと当該過飽和輝度の振動振幅による運動エネルギーの電位差が非飽和輝度サイクルの幅により決定されることを特徴とするバックライトモジュールの駆動方法としている。
請求項７の発明は、請求項５記載のバックライトモジュールの駆動方法において、当該非飽和輝度の振動振幅による運動エネルギーがゼロ電位でないことを特徴とするバックライトモジュールの駆動方法としている。
【発明の効果】
【０００８】
本発明の主要な目的は、上述した欠陥を解決し、欠陥の存在を取り除くことである。本発明ではバックライトモジュールを用い、それにより飽和輝度の調光サイクルの中で、変調により非飽和輝度サイクルを生み出すものである。そして当該調光サイクルが後端変圧器に対しデューティサイクルの振動振幅シーケンスを設定し、それに基づいて非飽和輝度サイクルでの変圧器の変換運動エネルギーが形成できる。この運動エネルギーにより当該バックライトモジュールが飽和輝度で発生する寄生容量による影響が解消できるのである。
【発明を実施するための最良の形態】
【０００９】
図１、２、３に示されるように、本発明は一種のバックライトモジュールの駆動方法である。その方法には以下のものを含む、
バックライトモジュールの飽和輝度１０を設定する。通常の場合いわゆる飽和輝度とはバックライトモジュールにより生み出される最大設定輝度を指す。この輝度が表わすものは後端変圧器により出力できる運動エネルギー或いはバックライトモジュールの最大許容可能な駆動エネルギーにより定義されるのが通常である。バックライトモジュールは材質特性により最大飽和輝度制限も異なってくるが、本発明が定義づけた飽和輝度とは、当該バックライトモジュールが最大許容可能な駆動エネルギーの状態で発生させる浮遊・寄生容量による反応を範囲の定義とする。
【００１０】
飽和輝度の調光サイクル２０を決定する。また当該調光サイクルE１に於いて変調により非飽和輝度サイクルＥ２を生み出す。ここで言う調光サイクルＥ１とはバックライトモジュールが設定する最大輝度値である。当該調光サイクルＥ１は既知の技術に於いては、パルス信号が全て最大振幅電圧に等しい波動として定義づけられる。通常の場合、出力形式はパルス幅変調器(ＰＷＭ)が出力する方形波が多い。しかし、本発明の技術的特徴を分かりやすく説明するため、この調光サイクルＥ１をデューティサイクルと併せて正弦波方式で表わす。
【００１１】
飽和輝度のデューティサイクル３０を決定する。本発明は主に当該調光サイクルＥ１に基づき後端変圧器に対しデューティサイクルの振動振幅シーケンスを設定し、運動エネルギーの出力により当該バックライトモジュールを駆動させる。本発明は、飽和輝度の調光サイクルＥ１に於いて変調により非飽和輝度サイクルＥ２を生み出すものであるため、変圧器のデューティサイクルは当該非飽和輝度サイクルＥ２に於いて変換運動エネルギーを形成する。
【００１２】
非飽和輝度サイクルＥ２に於ける幅(或いはパルス数と言われるもの)はそれぞれ異なっている(例えば図２に示した単一パルスの非飽和輝度サイクルＥ２、図４に示した多数のパルスにより形成される非飽和輝度サイクルＥ２)。或いは変圧器の動作周波数、調光サイクルＥ１の周波数が異なり、及び設定された非飽和輝度の振動振幅による運動エネルギーＶ３と当該飽和輝度の振動振幅による運動エネルギーＶ１の電位差等のパラメータも異なっている。これらの差異が変換運動エネルギーの形態に多少の差異を及ぼす。
【００１３】
そしてこの差異については図３に示すように、変換運動エネルギーが過飽和輝度の振動振幅による運動エネルギーＶ２及び非飽和輝度の振動振幅による運動エネルギーＶ３を含みうる。また或いは例えば図５に示すように、当該変換運動エネルギーが過飽和輝度の振動振幅による運動エネルギーＶ２、非飽和輝度の振動振幅による運動エネルギーＶ３、及び過飽和輝度の振動振幅による運動エネルギーＶ４を含む。本発明の実施例では、当該非飽和輝度の振動振幅による運動エネルギーＶ３はゼロ電位のものが全くなく、それにより変圧器の運動エネルギー変換時に恐らく発生しうる損壊といった事態を避ける。
【００１４】
これにより運動エネルギーを変換すると、バックライトモジュールは実際の動作状態で恒常的な飽和輝度の状態ではなくなるのである。即ち、変圧器の変換運動エネルギーにより、本来の飽和輝度の振動振幅による運動エネルギーＶ１が、バックライトモジュールで変換運動エネルギーを通じて起動/停止変換効果をなす。これにより当該バックライトモジュールの飽和輝度での寄生容量の反応は解消できるのである。
【図面の簡単な説明】
【００１５】
【図１】本発明のバックライトモジュールの駆動方法に於ける方法のフォローを示す図である。
【図２】本発明のバックライトモジュールの駆動方法に於ける変圧器デューティサイクルを示す図である。
【図３】本発明のバックライトモジュールの駆動方法に於ける変圧器からの出力エネルギーを示す図である。
【図４】本発明のバックライトモジュールの駆動方法に於ける変圧器デューティサイクルのもう一つの表示図である。
【図５】本発明のバックライトモジュールの駆動方法に於ける変圧器からの出力エネルギーのもう一つの表示図である。
【符号の説明】
【００１６】
Ｅ１    調光サイクル
Ｅ２    非飽和輝度サイクル 
Ｖ１    本来の飽和輝度の振動振幅による運動エネルギー
Ｖ２    過飽和輝度の振動振幅による運動エネルギー
Ｖ３    非飽和輝度の振動振幅による運動エネルギー
Ｖ４    過飽和輝度の振動振幅による運動エネルギー
【図１】
2007173155.tif 000003
【図２】
2007173155.tif 000004
【図３】
2007173155.tif 000005
【図４】
2007173155.tif 000006
【図５】
2007173155.tif 000007